(57)【特許請求の範囲】
【請求項１】
ケーシングと、
該ケーシングに凹設され、電子部品を収容する収容部と、
該収容部に着脱可能に装着されて、前記収容部を水密に塞ぐ蓋体と、
回転により前記蓋体を前記ケーシングにロックするロック操作片と、
を具えた電子機器であって、
前記ロック操作片は、前記ケーシングに向けて突設された軸部を有し、
前記ケーシングの外面には、前記軸部の嵌まる有底且つ貫通孔のない受け部が凹設されており、
前記受け部の底面には、複数の突起からなる突起列が形成されており、
前記ロック操作片には、前記突起列と当接し、前記ロック操作片を回転させたときに、前記突起列を乗り越える凸部が形成されている、
ことを特徴とする電子機器。
【請求項２】
前記ロック操作片は、前記軸部から突設された抜止め片を有し、
前記受け部には、前記抜止め片と対向し、前記ロック操作片の脱落を防ぐ当たり片を具える、
請求項１に記載の電子機器。
【発明の詳細な説明】
【技術分野】
【０００１】
本発明は、防水性を具備しつつ、電池蓋等の蓋体をロックするロック操作片を具えた電子機器に関するものである。
【背景技術】
【０００２】
防水性を有する携帯電話機等の電子機器は、ケーシングに、バッテリ等の装着や取外しが可能な電子部品を収容する収容部が設けられている。収容部は、蓋体により水密に塞がれる。
例えば、特許文献１では、蓋体を着脱自在とするために、ケーシングに蓋体をロックできる回転式のロック操作片が用いられている。
上記ロック操作片は、ケーシングの壁を貫通する貫通孔へネジ止めすることで、ケーシングに対して回転可能に取り付けられている。
【先行技術文献】
【特許文献】
【０００３】
【特許文献１】特開２００８−１０５９９号公報
【発明の概要】
【発明が解決しようとする課題】
【０００４】
前記貫通孔からケーシング内への水の侵入を阻止すべく、貫通孔の周囲にはパッキン等の防水構造が必要となる。このため、電子機器の部品点数が増加し、また各部品の構成が複雑になってしまう。更に、前記ロック操作片を頻繁に操作した場合や経時劣化等によって、防水構造の防水性が低下し、貫通孔からケーシング内に水が侵入してしまう虞がある。
【０００５】
本発明の目的は、防水性を具備しつつ、電池蓋等の蓋体をロックするロック操作片を具えた電子機器を提供することである。
【課題を解決するための手段】
【０００６】
本発明に係る電子機器において、
ケーシングと、
該ケーシングに凹設され、電子部品を収容する収容部と、
該収容部に着脱可能に装着されて、前記収容部を水密に塞ぐ蓋体と、
回転により前記蓋体を前記ケーシングにロックするロック操作片と、
を具えた電子機器であって、
前記ロック操作片は、前記ケーシングに向けて突設された軸部を有し、
前記ケーシングの外面には、前記軸部の嵌まる有底の受け部が凹設されている。
【発明の効果】
【０００７】
本発明に係る携帯電子機器によれば、ロック操作片は、ケーシングに凹設された有底の受け部に嵌まる。受け部はケーシングを貫通していないから、受け部を介してケーシング内の防水性が侵されることはない。また、ロック操作片の取付けにパッキン等を装着する必要もないので、電子機器の部品点数を抑えることができ、さらには、各部品の構成を簡素化できる。加えて、頻繁なロック操作や経時劣化によって防水性が低下する虞はない。
【図面の簡単な説明】
【０００８】
【図１】図１は、本発明の一実施形態に係る携帯電子機器の正面図である。
【図２】図２は、本発明の一実施形態に係る携帯電子機器の背面図である。
【図３】図３は、図２の線ＩＩＩ−ＩＩＩに沿う断面図である。
【図４】図４は、図３の円ＩＶで囲った部分の断面図である。
【図５】図５は、本発明の一実施形態に係る携帯電子機器の後カバーを背面側から見た斜視図である。
【図６】図６は、本発明の一実施形態に係る蓋体の要部斜視図である。
【図７】図７は、本発明の一実施形態に係る携帯電子機器のロック操作片を底面側から見た斜視図である。
【図８】図８は、本発明の一実施形態に係る携帯電子機器のロック操作片を頂面側から見た図である。
【図９】図９は、本発明の一実施形態に係る携帯電子機器のロック操作片の側面図である。
【図１０】図１０は、本発明の一実施形態に係る携帯電子機器のロック操作片を取り付ける手順を示す背面図である。
【図１１】図１１は、本発明の一実施形態に係る携帯電子機器のロック操作片のロック解除状態を示す背面図である。
【図１２】図１２は、本発明の一実施形態に係る携帯電子機器のロック操作片のロック状態を示す背面図であって、蓋体及び化粧カバーは取り外して示している。
【発明を実施するための形態】
【０００９】
本発明は、図１及び図２に示す如く、防水性を有する電子機器(10)に関するものであり、より具体的には、電子機器(10)には、図３乃至図５に示すように、バッテリやSIMカードの如き電子部品を収容する収容部(51)を具える。該収容部(51)は、図２乃至図４に示すように、蓋体(60)により水密に塞がれ、蓋体(60)は、図２に示すロック操作片(70)を回転させることで、ロック及びロック解除される。
【００１０】
以下では、電子機器(10)として、携帯電話機を例示して説明を行なう。
図１及び図２は、本発明の一実施形態である携帯電話機(10)の外観を示し、図３及び図４は、携帯電話機(10)の内部を示す断面図を示している。
携帯電話機(10)は、前カバー(21)と後カバー(22)が防水パッキン(43)(図４)等を介して水密に係合されたケーシング(20)を具える。
【００１１】
前カバー(21)には、図１に示すように、各種の情報を表示する液晶表示パネルとタッチパネルを含む表示部(31)が防水パッキン等を介して水密に装着され、内部に防水空間(50)(図３及び図４)が形成される。
また、前カバー(21)には、図１において上側となる長手方向の一端には、通話用のスピーカ(33)、他端側に通話用のマイク(35)が設けられている。ケーシング(20)の下端は、略Ｕ字型の化粧カバー(25)により覆われている。
【００１２】
ケーシング(20)の側面には、図１及び図２に示すように、電源キー、ボリュームやズーム調整ボタン、シャッターボタン等の種々の操作ボタン(45)(46)(47)が配置されている。
【００１３】
ケーシング(20)の内部の防水空間(50)には、図３及び図４に示すように、通話や通信のための通信回路、オペレーティングシステムやアプリケーションの動作、その他携帯電話機(10)の各種制御を実行する電子回路が実装された回路基板(53)が収納される。回路基板(53)は、表示部(31)と共に前カバー(21)の内面側に取り付けることができる。
【００１４】
後カバー(22)には、図３乃至図５に示すように、ケーシング(20)への装着やケーシング(20)からの取外しが自在なバッテリやメモリカード、SIMカード等の電子部品(図示せず)を収容する収容部(51)が、防水空間(50)と繋がるように設けられている。収容部(51)は、図２に示すように、後カバー(22)に蓋体(60)を装着することで水密に塞がれる。
【００１５】
蓋体(60)は、上端面及び側面に複数の爪片(64)(図６)を突設した構成とすることができ、該爪片(64)は、収容部(51)の周囲に形成された爪受部(23)(図５)に係止可能となっている。また、蓋体(60)は、ロック操作片(70)(図２)を回転させることで後カバー(22)にロック、または、後カバー(22)からロック解除することができる。
なお、蓋体(60)は、上端面又は側面をヒンジ等によりケーシング(20)に接続する構成を採用してもよい。
【００１６】
蓋体(60)の周面近傍には、図４及び図６に示すように、内面側に、収容部(51)の内壁と対向するリブ(68)が立設されている。リブ(68)の外周には、収容部(51)と蓋体(60)とを水密に塞ぐパッキン(44)の嵌まる溝(69)が凹設されている。
【００１７】
パッキン(44)は、ゴムや樹脂などの弾性部材から作製することができる。一方で、携帯電話機(10)が落下等により衝撃を受けると、蓋体(60)と後カバー(22)の剛性の違いにより、蓋体(60)が開き側にずれ、生じた隙間にパッキン(44)が嵌まり込んでしまうことがある。
このため、パッキン(44)は、溝(69)に接着等により固定することが望ましい。例えば、パッキン(44)は、図４に示すように両面テープ(41)により溝(69)に固定することができる。なお、衝撃により生ずる隙間は、携帯電話機(10)の長手方向に生じやすいから、両面テープ(41)は、少なくとも蓋体(60)の長手方向に貼着すればよい。
パッキン(44)を溝(69)に固定することで、携帯電話機(10)が衝撃を受けても、前記隙間にパッキン(44)が嵌まり込むことを防止でき、防水性を高めることができる。
【００１８】
その他、蓋体(60)の上側となる長手方向の一端には、図２に示すように、カメラ機能用のレンズ(37)が臨出する開口(61)などが形成されている。
【００１９】
また、蓋体(60)の他端側には、図２及び図６に示すように、ロック操作片(70)が回動可能に嵌まる半円状の切欠き部(65)が形成されている。
該切欠き部(65)には、ロック操作片(70)のロック方向である時計回り(図中矢印Ａ)の端部に、ロック操作片(70)の後述するロック片(87)が嵌まるコ字状のロック溝(67)が形成されている。
【００２０】
ケーシング(20)の下端を覆う化粧カバー(25)は、略Ｕ字状であり、上記蓋体(60)の半円状の切欠き部(65)に連続して円形の貫通孔を構成すべく、半円状の切欠き部(26)(図２及び図１１)が形成されている。化粧カバー(25)の切欠き部(26)は、端部にロック操作片(70)の回転角度を規制するロック解除側規制片(27)がケーシング(20)の内面に向かう方向に突設されている(図１１)。
【００２１】
前述の蓋体(60)は、図２に示すように、ケーシング(20)に取り付けられたロック操作片(70)を回転させることで、ケーシング(20)に装着、取外し可能となっている。
【００２２】
より具体的には、ロック操作片(70)は、ケーシング(20)に凹設された受け部(90)(図５)に取り付けられる。
【００２３】
受け部(90)は、図５に示すように、収容部(51)と隣接する後カバー(22)の外面に凹設された有底の凹みとすることができる。受け部(90)は、浅い内面円筒状とすることができ、その底面(91)は円形である。
【００２４】
受け部(90)の開口側には、受け部(90)の底面(91)から間隔を存して内向きに当たり片(96)(97)が突設されており、当たり片(96)(97)と受け部(90)の底面(91)との間には、後述するロック操作片(70)の抜止め片(81)(82)(図７乃至図９)がスライド可能に嵌まる。
【００２５】
図示の実施例では、当たり片(96)(97)は２つであり、受け部(90)の周方向に間隔を存し、ほぼ向かい合うように形成され、図１０に示すように、当たり片(96)(97)間に形成された空隙から、ロック操作片(70)の抜止め片(81)(82)が挿通可能となっている。
【００２６】
当たり片(96)(97)の先端は、図５に示すように、受け部(90)と同心となる円弧形状をなし、当たり片(96)(97)の先端にロック操作片(70)の後述する軸部(73)が嵌まって、ロック操作片(70)を回転可能に支持する(図１１及び図１２)。
【００２７】
受け部(90)には、さらに、ロック操作片(70)の回転角度を規制する規制片(98)(99)が受け部(90)の中心に向かう方向に突設されている。図示の実施例では、図５に示すように、規制片(98)(99)を２つ設けている。一方の規制片(98)は、ロック操作片(70)の後述するロック位置を越える回転を阻止するロック側規制片(98)であり、前述の当たり片(96)の端面を兼ねた構成とすることができる。また、他方の規制片(99)は、ロック操作片(70)を取り付ける際の位置決め用規制片(99)である。
【００２８】
また、受け部(90)には、ロック操作片(70)の不用意な回転を防止し、ロック操作片(70)を回転させたときに使用者にクリック感を与えるための突起列(92)が形成されている。
突起列(92)は、図５に示すように、受け部(90)の底面(91)に設けられ、複数の突起が、受け部(90)の中心を円弧中心とするよう円弧状に並んで突設されている。
【００２９】
前記受け部(90)には、ロック操作片(70)が回転可能に嵌められる。ロック操作片(70)は、図７乃至図９に示すように、外形が略円柱状の軸部(73)を有する。
【００３０】
該軸部(73)の頂面は、ロック操作片(70)をロック位置(図１２)に回転させたときに、後カバー(22)から突出することなく、その形状と沿うよう傾斜している(図９)。
【００３１】
ロック操作片(70)の前記頂面には、図８に示すように、ロック操作片(70)を回転操作する際に、コインなどを差し込むことのできる操作用凹み(71)が凹設されている。操作用凹み(71)は、ロック操作片(70)の取付位置(図１０)では、携帯電話機(10)の幅方向と略平行となり、ロック解除位置(図１１)では、携帯電話機(10)の幅方向と長手方向の略中間、ロック位置(図１２)では、携帯電話機(10)の長手方向と略平行となる。
【００３２】
前記軸部(73)の周面には、複数の突片(81)(82)(87)が形成される。
符号(81)(82)で示す突片は、抜止め片(81)(82)であり、ロック操作片(70)の取付位置(図１０)において、前述した受け部(90)の当たり片(96)(97)間に嵌まる大きさ及び間隔で、軸部(73)の下端から外向きに突設されている。
抜止め片(81)(82)は、当たり片(96)(97)と受け部(90)の底面(91)との間でスライド可能となるように、これらの間隔よりも少し薄く形成される。
一方の抜止め片(81)には、前述した位置決め用規制片(99)と当接し、ロック操作片(70)を取付時に位置決めを容易とし、さらには、ロック及びロック解除時にロック側規制片(98)とロック解除側規制片(27)と当接して、ロック操作片(70)の回転角度を規制する被規制片(88)が突設されている。
【００３３】
また、符号(87)で示す突片は、ロック位置で蓋体(60)のロック溝(67)に嵌まり、蓋体(60)を外れないように固定するロック片(87)である。該ロック片(87)は、ロック解除状態ではロック溝(67)から脱して、蓋体(60)の取り外しを許容する。
【００３４】
図７及び図９に示すように、軸部(73)の底面には、ロック操作片(70)を回転させたときに、前述の受け部(90)の突起列(92)上の突起と当接しながら移行する凸部(86)が形成されている。該凸部(86)が突起列(92)と当接することで、ロック操作片(70)の回転に抵抗が付与され、ロック操作片(70)の自由な回転が阻止されると共に、突起列(92)の突起を乗り越えるときにクリック感を付与する。
【００３５】
なお、図示の実施例では、使用者によるロック操作片(70)の操作に際し、ロック操作片(70)をスムーズに回転させ、クリック感を高めるために、凸部(86)は、軸部(73)の一部を切り欠き(84)、弾性変形可能な円弧状の杆体(83)に設けている。これにより、凸部(86)が突起列(92)と当たることで杆体(83)が弾性変形し、抜止め片(81)(82)を受け部(90)の当たり片(96)(97)に強く押し当てることができる。
【００３６】
＜ロック操作片の取付け＞
上記構成のロック操作片(70)は、化粧カバー(25)を取り外した状態で、図１０に示すように、受け部(90)の当たり片(96)(97)間に、抜止め片(81)(82)を通すことで受け部(90)に取り付けられる。このとき、ロック操作片(70)の被規制片(88)を位置決め用規制片(99)に当てつつ挿入することで、ロック操作片(70)の取付けを容易にすることができる。
【００３７】
この状態から、図１１に示すように、ロック操作片(70)を時計回り(図中矢印Ａ)に回転させて、ロック操作片(70)は、ロック解除位置に至る。ロック操作片(70)を回転させることで、抜止め片(81)(82)は、受け部(90)の当たり片(96)(97)と底面(91)との間の空隙に嵌まって対向し、ロック操作片(70)は脱落不能となる。
【００３８】
ロック操作片(70)をロック解除位置まで回転させた後、図１１に示すように化粧カバー(25)をケーシング(20)の下端に装着する。化粧カバー(25)には、前述したとおり、ロック解除側規制片(27)が突設されており、ロック解除位置でロック解除側規制片(27)とロック操作片(70)の被規制片(88)が当接して、ロック操作片(70)のロック解除位置から反時計回りの回転は規制される。
【００３９】
＜蓋体のロック＞
ロック操作片(70)が図１１に示すロック解除位置にある状態で、図２に示すようにケーシング(20)に蓋体(60)を装着し、収容部(51)を塞ぐ。
この状態から、操作用凹み(71)にコインなどを差し込んで、図１２(蓋体は図示せず)に示すように、ロック操作片(70)を時計周り(図中矢印Ａ)に回転させる。これにより、ロック操作片(70)は、ロック片(87)が図６に示す蓋体(60)のコ字状のロック溝(67)に嵌まり、蓋体(60)を固定する。ロック操作片(70)を図１２に示すように、操作用凹み(71)が携帯電話機(10)の長手方向に沿うまで回転させると、ロック操作片(70)の被規制片(88)がロック側規制片(98)と当接し、ロック操作片(70)のそれ以上の回転は阻止される。
【００４０】
上記により、蓋体(60)はロック操作片(70)により固定され、収容部(51)は水密な状態で塞がれる。
【００４１】
なお、ロック操作片(70)をロック解除位置からロック位置まで回転させる途上で、受け部(90)の突起列(92)の各突起をロック操作片(70)の底面側の凸部(86)が乗り越えていくことで、適度な回転抵抗が付与されると共に、クリック感が付与される。
また、ロック操作片(70)がロック位置まで回転したときには、前記突起によって意図しないロック操作片(70)の回転を阻止することができる。
【００４２】
＜ロック解除＞
図１２に示すロック位置から、操作用凹み(71)にコインなどを差し込んで、ロック操作片(70)を反時計回りに回転させる(図中矢印Ａとは逆方向)。これにより、ロック操作片(70)は、ロック片(87)が蓋体(60)のロック溝(67)から外れ、蓋体(60)は取外し可能となる。図１１に示すように、ロック操作片(70)を前述したロック解除位置まで回転させると、ロック操作片(70)の被規制片(88)がロック解除側規制片(27)と当接し、ロック操作片(70)のそれ以上の回転は阻止される。
【００４３】
上記により、蓋体(60)を取り外すことができ、また、収容部(51)を開放して、バッテリ等の電子部品の装着、取外しを行なうことができる。その後、蓋体(60)を装着するには、再度ロック操作を行なえばよい。
【００４４】
なお、ロック操作片(70)をロック位置からロック解除位置まで回転させる途上で、ロック操作と同様に、ロック操作片(70)の凸部(86)が受け部(90)の突起列(92)の各突起を乗り越えるから、適度な回転抵抗が付与されると共に、クリック感が付与される。
また、ロック操作片(70)がロック解除位置まで回転したときには、前記突起によって意図しないロック操作片(70)の回転を阻止することができる。
【００４５】
本発明によれば、ロック操作片(70)が嵌まる受け部(90)は有底であり、後カバー(22)を貫通していないので、受け部(90)を介してケーシング(20)内の防水空間(50)や収容部(51)の防水性が侵されることはない。
また、ロック操作片(70)の取付けにパッキン等を装着する必要もないので、携帯電話機(10)の部品点数を抑え、また各部品の構成を簡素化でき、頻繁なロック操作や経時劣化によって防水性が低下する虞はない。
【００４６】
なお、本発明の各部構成は上記実施の形態に限らず、特許請求の範囲に記載の技術的範囲内で種々の変形が可能である。
例えば、電子機器は、携帯電話機に限定されず、スマートフォン、タブレット型コンピュータ、携帯型音楽プレーヤー、ノート型パソコンなどにも適用できる。
また、収容部に収容される電子部品は、バッテリやメモリカード、SIMカードなどに限定されるものではなく、充電や電源、他の機器との接続用の端子などが格納されるものであってもよい。
【産業上の利用可能性】
【００４７】
本発明は、防水性を具備しつつ、電池蓋等の蓋体をロックするロック操作片を具えた電子機器として有用である。
【符号の説明】
【００４８】
(10)  電子機器(携帯電話機)
(20)  ケーシング
(51)  収容部
(60)  蓋体
(70)  ロック操作片
(73)  軸部
(90)  受け部
【図１】
0006046920.tif 000002
【図２】
0006046920.tif 000003
【図３】
0006046920.tif 000004
【図４】
0006046920.tif 000005
【図５】
0006046920.tif 000006
【図６】
0006046920.tif 000007
【図７】
0006046920.tif 000008
【図８】
0006046920.tif 000009
【図９】
0006046920.tif 000010
【図１０】
0006046920.tif 000011
【図１１】
0006046920.tif 000012
【図１２】
0006046920.tif 000013